(57)【要約】【課題】３つ折り印刷を行う場合に、用紙が折りたたまれることにより用紙に生じる複数の部分領域のそれぞれの範囲内にその部分領域に対応する原稿データを適切な大きさで印刷する。【解決手段】画像処理装置において、複数の原稿データのそれぞれのサイズを取得する原稿サイズ取得部と、用紙が折りたたまれることにより用紙に生じる複数の部分領域のそれぞれのサイズを取得する領域サイズ取得部と、原稿データごとに、原稿データのサイズとその原稿データに予め対応付けられた部分領域のサイズとを比較し、原稿データのサイズが部分領域のサイズよりも大きい場合に、部分領域のサイズに基づいて原稿データに対して縮小処理を施す縮小処理部と、縮小処理部により縮小処理が施された原稿データを含む複数の原稿データがその原稿データに対応付けられた部分領域に配置されるように、用紙に対する複数の原稿データの配置を設定する配置設定部とを備える。【選択図】図８
2012156825.tif 000002
【特許請求の範囲】
【請求項１】
用紙に複数の原稿データを印刷し、該印刷された用紙を３つ以上の部分に分けて折りたたむ場合に、前記用紙に対する前記複数の原稿データの配置を設定する画像処理装置であって、
前記複数の原稿データのそれぞれのサイズを取得する原稿サイズ取得部と、
前記用紙が折りたたまれることにより前記用紙に生じる複数の部分領域のそれぞれのサイズを取得する領域サイズ取得部と、
前記原稿データごとに、該原稿データのサイズと該原稿データに予め対応付けられた前記部分領域のサイズとを比較し、前記原稿データのサイズが前記部分領域のサイズよりも大きい場合に、前記部分領域のサイズに基づいて前記原稿データに対して縮小処理を施す縮小処理部と、
該縮小処理部により縮小処理が施された原稿データを含む前記複数の原稿データが該原稿データに対応付けられた前記部分領域に配置されるように、前記用紙に対する前記複数の原稿データの配置を設定する配置設定部と
を備えたことを特徴とする画像処理装置。
【請求項２】
前記縮小処理部が、前記縮小処理が施された原稿データに対応付けられた前記部分領域と前記用紙の同一面上に位置する他の部分領域に配置される原稿データに対して、前記縮小処理が施された原稿データと同一の縮小率により縮小処理を施すものであることを特徴とする請求項１記載の画像処理装置。
【請求項３】
前記配置設定部が、前記用紙の同一面上に、隣接して配置される前記原稿データ間の間隔が複数存在する場合、それらの間隔が同一であるように前記配置の設定を行うものであることを特徴とする請求項１または２記載の画像処理装置。
【請求項４】
原稿サイズ取得部が、前記原稿データ中に予め設定された所定範囲の余白領域が存在する場合、該原稿データのサイズとして、該原稿データから前記余白領域を除いた領域のサイズを取得するものであることを特徴とする請求項１から３のいずれか１項記載の画像処理装置。
【請求項５】
用紙に複数の原稿データを印刷し、該印刷された用紙を３つ以上の部分に分けて折りたたむ場合に、前記用紙に対する前記複数の原稿データの配置を設定する画像処理装置としてコンピュータを機能させるための画像処理プログラムであって、
前記コンピュータを、前記複数の原稿データのそれぞれのサイズを取得する原稿サイズ取得部と、
前記用紙が折りたたまれることにより前記用紙に生じる複数の部分領域のそれぞれのサイズを取得する領域サイズ取得部と、
前記原稿データごとに、該原稿データのサイズと該原稿データに予め対応付けられた前記部分領域のサイズとを比較し、前記原稿データのサイズが前記部分領域のサイズよりも大きい場合に、前記部分領域のサイズに基づいて前記原稿データに対して縮小処理を施す縮小処理部と、
該縮小処理部により縮小処理が施された原稿データを含む前記複数の原稿データが該原稿データに対応付けられた前記部分領域に配置されるように、前記用紙に対する前記複数の原稿データの配置を設定する配置設定部として機能させることを特徴とする画像処理プログラム。
【発明の詳細な説明】
【技術分野】
【０００１】
本発明は、用紙に複数の原稿データ（画像データ）を印刷し、該印刷された用紙を３つ以上の部分に分けて折りたたむ場合に、用紙に対する原稿データの配置を設定する画像処理装置及びプログラムに関するものである。
【背景技術】
【０００２】
近年、印刷装置において印刷の施された用紙を折りたたんだり、製本したりするいわゆるフィニッシャー機能が充実してきている。このようなフィニッシャー機能による用紙折りの方法としては、たとえば、内３つ折り、外３つ折り（Ｚ折り）、内４つ折り（観音折り）など種々の方法がある。
【０００３】
ここで、たとえば、上述したフィニッシャー機能によって内３つ折りを行う場合を考える。内３つ折りは、用紙を上下方向に上部分、中部分および下部分の３つの部分に区分けして、表面の上部分および下部分を中部分に向けて折りたたむ方法であり、このような内３つ折りを行う場合、用紙を３つの部分に等分するのではなく、中部分に向けて折りたたまれる上部分と下部分のうちより内側（下側）に折り込まれる部分については、その端が折り目に衝突しないように他の部分よりも小さいサイズに設定して折り込むことが考えられる。
【０００４】
一方、上記のような内３つ折りが行われる印刷物に印刷される画像は、たとえば、コンピュータにインストールされたアプリケーションを用いて作成されるが、このとき３つ折りによって用紙面に生じる複数の部分領域にそれぞれ異なる原稿データ（文書、イラスト、写真画像など）が印刷されるように、各部分領域に応じた原稿データを作成する場合がある。
【先行技術文献】
【特許文献】
【０００５】
【特許文献１】特開２００９−００３５７２号公報
【発明の概要】
【発明が解決しようとする課題】
【０００６】
しかしながら、上述したように内３つ折りの各部分領域の原稿データを作成する際、その作成者は、上述したような内３つ折りの際の各部分領域のサイズを把握していないため、とりあえず印刷用紙を３等分したサイズで各原稿データを作成することになるが、このようにして作成された各原稿データに基づいて印刷を行って内３つ折りを行った場合、内３つ折りの各部分領域のサイズと印刷される各原稿データのサイズとが異なることになるので、１つの部分領域に対応する原稿データの途中で折り目が入ってしまう場合がある。
【０００７】
たとえば、特許文献１においては、内３つ折りの各部分領域の原稿データを、印刷用紙のサイズの１/３のサイズに縮小して３つの部分領域に面付けされた印刷データを作成することが提案されているが、このようにした場合も、上述したように１つの部分領域に対応する原稿データの途中で折り目が入ってしまうことになる。
【０００８】
本発明は、上記事情に鑑み、用紙に複数の原稿データを印刷し、３つ以上の部分に分けて折りたたむ場合に、用紙が折りたたまれることにより用紙に生じる複数の部分領域のそれぞれの範囲内にその部分領域に対応する原稿データを適切な大きさで印刷することができ、仕上がりが良好な用紙折りの印刷物を得ることができる画像処理装置およびプログラムを提供することを目的とするものである。
【課題を解決するための手段】
【０００９】
本発明の画像処理装置は、用紙に複数の原稿データを印刷し、その印刷された用紙を３つ以上の部分に分けて折りたたむ場合に、用紙に対する複数の原稿データの印刷の条件を設定する画像処理装置であって、複数の原稿データのそれぞれのサイズを取得する原稿サイズ取得部と、用紙が折りたたまれることにより用紙に生じる複数の部分領域のそれぞれのサイズを取得する領域サイズ取得部と、原稿データごとに、原稿データのサイズとその原稿データに予め対応付けられた部分領域のサイズとを比較し、原稿データのサイズが部分領域のサイズよりも大きい場合に、部分領域のサイズに基づいて原稿データに対して縮小処理を施す縮小処理部と、縮小処理部により縮小処理が施された原稿データを含む複数の原稿データがその原稿データに対応付けられた部分領域に配置されるように、用紙に対する複数の原稿データの配置を設定する配置設定部とを備えたことを特徴とする。
【００１０】
ここで、原稿データのサイズを取得する処理は、記憶手段に記憶された原稿データに基づいてそのサイズを取得するものであってもよいし、記憶手段に記憶された原稿データのサイズを読み出して取得するものであってもよいし、アプリケーションから入力されたのを受けて取得するものであってもよい。また、ユーザがキーボードなどの入力手段により原稿データのサイズを入力したのを受けて取得するものであってもよい。
【００１１】
また、原稿データのサイズを取得する処理は、直接、サイズの数値を取得するものであってもよいし、そのサイズを導き出すことができる情報を取得するものであってもよい。
【００１２】
また、「原稿データのサイズ」とは、原稿データの縦と横の長さをいい、「原稿データのサイズが部分領域のサイズよりも大きい」とは、原稿データの縦の長さが部分領域の縦の長さより大きいか原稿データの横の長さが部分領域の横の長さより大きいことを意味する。
【００１３】
また、「縮小処理が施された原稿データを含む複数の原稿データをその原稿データに対応付けられた部分領域に配置する」とは、複数の原稿データをその原稿データに対応付けられた部分領域に配置するときに、縮小処理が施された原稿データについては、縮小処理後の原稿データを配置することを意味する。
【００１４】
上記画像処理装置において、縮小処理部は、縮小処理が施された原稿データに対応付けられた部分領域と用紙の同一面上に位置する他の部分領域に配置される原稿データに対して、縮小処理が施された原稿データと同一の縮小率により縮小処理を施すものであってもよい。
【００１５】
また、上記画像処理装置において、配置設定部は、用紙の同一面上に、隣接して配置される前記原稿データ間の間隔が複数存在する場合、それらの間隔が同一であるように配置の設定を行うものであってもよい。
【００１６】
また、原稿サイズ取得部は、原稿データ中に予め設定された所定範囲の余白領域が存在する場合、その原稿データのサイズとして、原稿データから余白領域を除いた領域のサイズを取得するものであってもよい。
【００１７】
上記装置は、表示部と、配置設定部により設定された複数の原稿データの配置に従って用紙に複数の原稿データが配置された状態を表すプレビュー画像を生成し、生成されたプレビュー画像を表示部に表示させるプレビュー表示制御部とを備えたものであってもよい。
【００１８】
また、表示されたプレビュー画像に対するユーザの操作指示を受け付ける操作部を備え、配置設定部が、操作部により受け付けたユーザの操作指示に応じて、設定された用紙に対する複数の原稿データの配置を変更するものであり、プレビュー表示制御部が、配置の変更が反映されたプレビュー画像を生成し、生成されたプレビュー画像を表示部に表示させるものであってもよい。
【００１９】
本発明の画像処理プログラムは、コンピュータを、上記画像処理装置として機能させるためのプログラムである。
【発明の効果】
【００２０】
本発明の画像処理装置およびプログラムによれば、用紙に複数の原稿データを印刷し、その印刷された用紙を３つ以上の部分に分けて折りたたむ場合に、複数の原稿データのそれぞれのサイズを取得し、用紙が折りたたまれることにより用紙に生じる複数の部分領域のそれぞれのサイズを取得し、原稿データごとに、原稿データのサイズとその原稿データに予め対応付けられた部分領域のサイズとを比較し、原稿データのサイズが部分領域のサイズよりも大きい場合に、部分領域のサイズに基づいて原稿データに対して縮小処理を施し、縮小処理が施された原稿データを含む複数の原稿データがその原稿データに対応付けられた部分領域に配置されるように、用紙に対する複数の原稿データの配置を設定することによって、用紙の各部分領域の範囲内にその領域に対応する原稿データを適切な大きさで印刷することができ、仕上がりが良好な用紙折りの印刷物を得ることができる。
【００２１】
また、上記画像処理装置およびプログラムにおいて、縮小処理が施された原稿データに対応付けられた部分領域と用紙の同一面上に位置する他の部分領域に配置される原稿データに対して、縮小処理が施された原稿データと同一の縮小率により縮小処理を施すようにした場合には、用紙の同一面上に印刷される原稿データのサイズを揃えることができる。たとえば、同一文字サイズの文章からなる２つの原稿データが用紙の同一面上に印刷される場合に、片方の原稿データに対して縮小処理が施される場合に、他の原稿データに対しても同一の縮小率により縮小処理を施すことにより、用紙の同一面上における文字のサイズを統一させることができる。
【００２２】
また、用紙の同一面上に、隣接して配置される前記原稿データ間の間隔が複数存在する場合に、それらの間隔が同一であるように、用紙に対する複数の原稿データの配置を設定するようにした場合には、用紙面上に原稿データをバランスよく配置でき、見栄えがよくなる。
【００２３】
また、原稿データ中に予め設定された所定範囲の余白領域が存在する場合に、原稿データのサイズとして、その原稿データから余白領域を除いた領域のサイズを取得するようにした場合には、原稿データ中の余白領域をのぞいた領域、すなわち実際に文書やイラストなどが記録される記録領域に折り目が入ってしまうような場合にのみ縮小処理が行われるようにすることができ、処理速度を向上させることができる。
【００２４】
また、上記設定された複数の原稿データの配置に従って用紙に複数の原稿データが配置された状態を表すプレビュー画像を生成し、生成されたプレビュー画像を表示部に表示させるようにした場合には、ユーザが、印刷が実行された場合に作成される印刷物の見え方を印刷前に確認することができる。
【００２５】
また、上記表示されたプレビュー画像に対するユーザの操作指示を受け付けて、その操作指示に応じて、上記設定された用紙に対する複数の原稿データの配置を変更し、その変更が反映されたプレビュー画像を生成し、該生成されたプレビュー画像を表示部に表示させるようにした場合には、ユーザが、自動的に設定された原稿データの配置に対して容易に変更を加えることができるとともに、その変更後の設定によって印刷が実行された場合に作成される印刷物を確認することができるので、これにより、ユーザの所望する原稿データの配置状態を有する印刷物を容易に作成することができる。
【図面の簡単な説明】
【００２６】
【図１】印刷システムの概略構成図
【図２】内３つ折りを説明するための図
【図３】プリンタドライバの構成を示すブロック図
【図４】原稿データのサイズを説明するための図
【図５】用紙折り条件などの設定を受け付けるための設定画面を示す図
【図６】用紙折りの方向などの設定を受け付けるための設定画面を示す図
【図７】原稿データと部分領域の対応付けを示す図
【図８】用紙に対する原稿データの配置例を示す図（その１）
【図９】用紙に対する原稿データの配置例を示す図（その２）
【図１０】プレビュー画像を示す図
【図１１】ユーザによる原稿データの配置の変更を指示する操作を説明するための図
【図１２】配置の変更が反映されたプレビュー画像を示す図
【図１３】原稿データの余白領域を除いた領域のサイズを説明するための図
【図１４】用紙に対する原稿データの配置例を示す図（その３）
【発明を実施するための形態】
【００２７】
以下、図面を参照して、本発明の画像処理装置およびプログラムの実施の形態について説明する。図１は、本発明の画像処理装置を用いた印刷システムの概略構成を示すブロック図である。この印刷システムは、図１に示すように、コンピュータ１０と、コンピュータ１０に有線または無線ＬＡＮなどのネットワークを介して接続された印刷装置３０とを備えている。
【００２８】
印刷装置３０は、印刷部３１と、用紙折り機構３２と、用紙折りサイズ記憶部３３とを備えている。印刷部３１は、入力された印刷データに基づいて用紙に印刷を施すものであり、たとえば、用紙に対して孔版印刷やインクジェットプリントやレーザープリントなどを行うものを用いることができる。
【００２９】
用紙折り機構３２は、いわゆるフィニッシャーと呼ばれるものであり、後述するプリンタドライバ１２において設定された用紙折り条件に従がって、印刷部３１において印刷の施された用紙を内３つ折りもしくは外３つ折り（Ｚ折り）に折りたたむものである。ここで、内３つ折りは、図２に示すように、用紙を上下方向に上部分Ｕ、中部分Ｍおよび下部分Ｌの３つの部分に区分けして、表面Ｓの上部分Ｕおよび下部分Ｌを中部分Ｍに向けて折りたたむ方法であり、外３つ折りは、表面の上部分を裏面の中部分に向けて折りたたむとともに、表面の下部分を裏面の中部分に向けて折りたたむ方法である。
【００３０】
用紙折り機構３２は、上記のような内３つ折りを行う際、上部分より内側（下側）に折り込まれる下部分については、その端が折り目に衝突しないように他の部分よりも小さいサイズに設定するようにしている。具体的には、図２に示すように、用紙サイズがＡ４サイズ（横２１０ｍｍ×縦２９７ｍｍ）である場合、上部分Ｕおよび中部分Ｍが横２１０ｍｍ×縦１００ｍｍのサイズに設定され、下部分Ｌが横２１０ｍｍ×縦９７ｍｍのサイズに設定されている。以下、用紙サイズはＡ４サイズであるとする。
【００３１】
用紙折りサイズ記憶部３３は、用紙折り条件と用紙折りサイズとが対応づけられたテーブルが記憶されている。ここで、用紙折りサイズは、用紙折り機構３２が用紙折りの条件に従がって用紙を折りたたむことにより用紙に生じる複数の部分領域のそれぞれのサイズをいう。たとえば、内３つ折りには、用紙Ｐの上部分Ｕの両側の面にそれぞれ生じる部分領域のサイズとして横２１０ｍｍ×縦１００ｍｍが、中部分Ｍの両側の面にそれぞれ生じる部分領域のサイズとして横２１０ｍｍ×縦１００ｍｍが、下部分Ｌの両側の面にそれぞれ生じる部分領域のサイズとして横２１０ｍｍ×縦９７ｍｍが対応付けられて記憶されている。
【００３２】
コンピュータ１０は、中央処理装置（ＣＰＵ）および半導体メモリやハードディスクやＳＳＤ等のストレージデバイスなどのハードウェアを備えるとともに、原稿データを生成するためのアプリケーション１１とアプリケーション１１によって生成された原稿データに基づいて印刷装置３０において認識可能な印刷データを生成するプリンタドライバ１２などのプログラムがインストールされたものである。ここで、プリンタドライバ１２は、本発明の画像処理プログラムに該当し、プリンタドライバ１２がインストールされたコンピュータ１０は、本発明の画像処理装置に該当する。また、コンピュータ１０は、モニター等の表示部１３と、キーボードやマウスなどの操作部１４を備えている。
【００３３】
アプリケーション１１は、メモ帳やＷｏｒｄ（登録商標）などのような原稿データＭｉ（文書、イラスト、写真画像など）を作成することができるプログラムであり、アプリケーション１１において作成された原稿データＭｉ（ｉ＝１、２，…）はプリンタドライバ１２に出力される。
【００３４】
プリンタドライバ１２は、用紙サイズ、印刷部数、片面／両面印刷などの種々の印刷条件や、上述した３つ折りなどの用紙折り条件などの操作者による入力を受け付けるユーザーインターフェースを備え、そのユーザーインターフェースによって受け付けられた印刷条件などとアプリケーション１１から出力された原稿データＭｉに基づいて、印刷装置３０において認識可能な印刷データを生成し、その印刷データを印刷装置３０に出力するものである。プリンタドライバ１２で生成される印刷データとしては、ＰＤＬ（Page Description Language）データやラスターデータなどがある。
【００３５】
図３は、本実施形態のプリンタドライバ１２のより詳細な構成を示すブロック図である。プリンタドライバ１２は、図３に示すように、原稿データ取得部２１と、原稿サイズ取得部２２と、用紙折りサイズ取得部２３と、印刷範囲対応付け部２４と、縮小処理部２５と、配置設定部２６と、プレビュー表示制御部２7と、印刷データ生成部２8とを備えている。
【００３６】
原稿データ取得部２１は、アプリケーション１１において作成された複数の原稿データＭｉを取得するものである。
【００３７】
原稿サイズ取得部２２は、各原稿データＭｉのそれぞれのサイズ（サイズ情報）をアプリケーション１１から取得するものである。ここで、原稿データＭｉのサイズは、アプリケーション１１においてその原稿データＭｉを作成する際に設定された原稿データＭｉの縦と横の長さをいう。なお、本実施の形態では、図４に示すように、各原稿データＭｉのサイズとして横２１０ｍｍ×縦９９ｍｍが取得されているとする。
【００３８】
用紙折りサイズ情報取得部２３は、用紙折りサイズ記憶部３３に記憶されたテーブルを参照して、今回の印刷物に適用される用紙折り条件に対応付けられている用紙折りサイズを読み出して取得するものである。
【００３９】
印刷範囲対応付け部２４は、原稿データ取得部２１により取得された複数の原稿データＭｉのそれぞれに、その原稿データを印刷させる用紙上の部分領域を対応付けるものである。この印刷範囲対応付け部２４は、用紙折り等の条件に予め設定されている所定の配置態様に従がって対応付けを行う。なお、用紙折り等の条件は、図５、図６に示すような設定画面を表示部１３に表示させ、その設定画面に対する操作者による入力操作に基づいて設定する。
【００４０】
たとえば、図５の設定画面中の「紙折り」のプルダウンメニューにおいて「内３つ折り」が選択され、かつ、図６の設定画面において「内側に印字」のチェックボックスがオンになっている場合には、図７に示すように、原稿データＭ１に用紙Ｐの表面Ｓの上部分の領域Ｓ１を対応付け、原稿データＭ２に用紙Ｐの表面Ｓの中部分の領域Ｓ２を対応付け、原稿データＭ３に用紙Ｐの表面Ｓの下部分の領域Ｓ３を対応付け、原稿データＭ４に用紙Ｐの裏面Ｒの上部分の領域Ｒ１を対応付け原稿データＭ５に用紙Ｐの裏面Ｒの中部分の領域Ｒ２を対応付け、原稿データＭ６に用紙Ｐの裏面Ｒの下部分の領域Ｒ３を対応付ける。
【００４１】
また、印刷範囲対応付け部２４は、用紙に複数の異なるサイズの原稿データを印刷し、３つ折り印刷を行う場合には、各原稿データＭｉのサイズを、用紙サイズの１／３のサイズに基づいて設定された第１の基準サイズ、および用紙サイズの１／３のサイズを２倍したサイズに基づいて設定された第２の基準サイズと比較することで、その原稿データの配置に使用する部分領域の数を決定し、各原稿データに上記決定された数の部分領域を対応付ける機能を有する。
【００４２】
縮小処理部２５は、原稿データＭｉごとに、原稿データのサイズとその原稿データに上記対応付けられた部分領域のサイズとを比較し、原稿データのサイズが部分領域のサイズよりも大きい場合に、部分領域のサイズに基づいて原稿データに対して縮小処理を施すものである。
【００４３】
たとえば、内３つ折り印刷を行う場合において、図７の左図に示すように、原稿データＭ１〜Ｍ３に部分領域Ｓ１〜Ｓ３が対応付けられている場合を考える。本実施形態においては、各原稿データＭ１〜Ｍ３のサイズ情報として横２１０ｍｍ×縦９９ｍｍが取得されており、内３つ折りの部分領域Ｓ１および部分領域Ｓ２のサイズ情報として横２１０ｍｍ×縦１００ｍｍが取得され、部分領域Ｓ３のサイズ情報として横２１０ｍｍ×縦９７ｍｍが取得されているので、原稿データＭ１、Ｍ２のサイズはその各対応する部分領域Ｓ１、Ｓ２のサイズより小さいが、原稿データＭ３のサイズはその対応する部分領域Ｓ３のサイズより大きい。したがって、原稿データＭ３に対し、部分領域Ｓ３のサイズ横２１０ｍｍ×縦９７ｍｍとなるように縮小処理を施す。
【００４４】
なお、ここでは、縮小処理部２５が、原稿データＭ３に対してのみ縮小処理が施すものである場合について説明したが、縮小処理部２５は、縮小処理が施された原稿データＭ３に対応付けられた部分領域Ｓ３と用紙Ｐの同一面上に位置する他の部分領域Ｓ１、Ｓ２に配置される原稿データＭ１、Ｍ２に対しても、原稿データＭ３の場合と同一の縮小率により縮小処理を施す機能を有する。
【００４５】
配置設定部２６は、縮小処理部２５により縮小処理が施された原稿データを含む複数の原稿データＭｉがその原稿データに対応付けられた部分領域に配置されるように、用紙に対する複数の原稿データの配置を設定するものである。たとえば、上述のように、原稿データＭ１〜Ｍ３に部分領域Ｓ１〜Ｓ３が対応付けられ、原稿データＭ３に対してのみ縮小処理が施された場合、原稿データＭ１〜Ｍ３をその各対応付けられた部分領域に配置するときに、原稿データＭ３については、縮小処理後の原稿データをその対応する部分領域Ｓ３に配置する。
【００４６】
また、配置設定部２６は、用紙の同一面上に、隣接して配置される原稿データ間の間隔が複数存在する場合、それらの間隔が同一であるよう原稿データの配置を行う。具体的には、図８に示すように、原稿データＭ１と原稿データＭ２との間隔、および原稿データＭ２と原稿データＭ３との間隔がいずれも１mmとなるように原稿データＭ１〜Ｍ３を配置する。
【００４７】
なお、縮小処理部２５において、原稿データＭ１〜Ｍ３の全てに対して縮小処理が施され、原稿データＭ１〜Ｍ３のサイズがいずれも横２１０ｍｍ×縦９７ｍｍに縮小変更された場合には、図９に示すように、原稿データＭ１と原稿データＭ２との間隔、および原稿データＭ２と原稿データＭ３との間隔がいずれも３mmとなるように原稿データＭ１〜Ｍ３を配置する。
【００４８】
また、配置設定部２６は、操作部１４により原稿データの配置の変更を指示するユーザ入力を受け付けた場合には、その変更指示に応じて、上記設定した原稿データの配置を変更するものである。
【００４９】
プレビュー表示制御部２７は、配置設定部２６により設定された原稿データの配置に従って印刷面に複数の原稿データが配置された状態を表すプレビュー画像を生成し、生成されたプレビュー画像を表示部１３に表示させるものである。また、ユーザが、操作部１４により、原稿データの配置の変更を指示する入力を受け付けると、その配置の変更が反映されたプレビュー画像を生成し、表示部１３に表示させる。
【００５０】
ここで、プレビュー表示制御部２７において生成、表示されるプレビュー画像の一例を図１０に示す。１０のプレビュー画像においては、内３つ折り印刷物の完全に開いた状態および折り込んだ状態を表側からみた画像と、内３つ折り印刷物の完全に開いた状態を裏側からみた画像とを隣り合わせたものが表示されている。
【００５１】
ユーザは、このプレビュー画像に対し、操作部１４のマウス等を用いてカーソル14ａを操作して、原稿データの配置の変更を指示することができる。図１１に示すように、プレビュー画像中に示された原稿データ「宛名」を原稿データ「文章１」の上にドラッグ＆ドロップすることにより、原稿データ「宛名」と原稿データ「文章１」の配置位置を入れ替えることができる。プレビュー表示制御部２５は、上記配置の変更の指示に応じて、図１２に示すように、その配置の変更が反映されたプレビュー画像を生成し、表示部１３に表示させる。
【００５２】
印刷データ生成部２８は、配置設定部２７により設定された原稿データの配置に従って印刷面に複数の原稿データが配置に基づいて、プレビュー表示制御部２６によって原稿データの配置に変更が加わった場合にはその変更後の配置に基づいて、３つ折りの各領域に面付けされたＰＤＬデータの印刷データを生成し、その印刷データを印刷装置２０に出力するものである。
【００５３】
上記構成により、本印刷システムによれば、用紙Ｐに複数の原稿データを印刷し、印刷された用紙を３つ以上の部分に分けて折りたたむ場合に、原稿サイズ取得部２２が、複数の原稿データのそれぞれのサイズを取得し、用紙折りサイズ取得部２３が、用紙が折りたたまれることにより用紙に生じる複数の部分領域のそれぞれのサイズを取得し、縮小処理部２５が、原稿データごとに、原稿データのサイズとその原稿データに予め対応付けられた部分領域のサイズとを比較し、原稿データのサイズが部分領域のサイズよりも大きい場合に、部分領域のサイズに基づいて原稿データに対して縮小処理を施し、配置設定部２６が、縮小処理が施された原稿データを含む複数の原稿データがその原稿データに対応付けられた部分領域に配置されるように、用紙に対する前記複数の原稿データの配置を設定するようにしたので、用紙の各部分領域の範囲内にその領域に対応する原稿データを適切な大きさで印刷することができ、仕上がりが良好な用紙折りの印刷物を得ることができる。
【００５４】
なお、上記実施の形態において、図１３に示すように、原稿データＭｉ中に予め設定された所定範囲の余白領域Ｂが存在する場合、原稿サイズ取得部２２は、その原稿データＭｉのサイズとして、原稿データから余白領域を除いた領域ｍｉのサイズ（図１３では、横２０６ｍｍ×縦９５ｍｍ）を取得するようにしてもよい。以下、原稿データＭｉから余白領域を除いた領域を記録領域ｍｉという（ｉ＝１、２，…）。
【００５５】
これにより、各原稿データＭ１〜Ｍ３のサイズ情報として横２０６ｍｍ×縦９５ｍｍが取得された場合、原稿データＭ１〜Ｍ３のサイズはその各対応する部分領域Ｓ１〜Ｓ３のサイズより小さくなり、原稿データＭ１〜Ｍ３のいずれに対しても縮小処理部２５による縮小処理は行われない。なお、配置設定部２６においては、図１４に示すように、記録領域ｍ１と記録領域ｍ２との間隔、および記録領域ｍ２と記録領域ｍ３との間隔が４．５mmとなり、記録領域ｍ１と用紙の上端との間隔、および記録領域ｍ３と用紙の下端との間隔が１．５ｍｍとなるように用紙に対する原稿データＭ１〜Ｍ３の配置が行われる。
【００５６】
また、上記実施の形態では、本発明の画像処理装置およびプログラムを３つ折り印刷を行うものに適用した場合について説明したが、３つ折り印刷を行う場合に限らず、たとえば４つ折り印刷や５つ折り印刷などの印刷された用紙を４つ以上の部分に分けて折りたたむ場合に適用することができる。
【符号の説明】
【００５７】
１０   コンピュータ
１１   アプリケーション
１２   プリンタドライバ
１３   表示部
１４   操作部
２１   原稿データ取得部
２２   原稿サイズ取得部
２３   用紙折りサイズ取得部
２４   印刷範囲対応付け部
２５   縮小処理部
２６   配置設定部
２７   プレビュー表示制御部
２８   印刷データ生成部
３０   印刷装置
３１   印刷部
３２   用紙折り機構
３３   用紙折りサイズ記憶部
【図１】
2012156825.tif 000003
【図２】
2012156825.tif 000004
【図３】
2012156825.tif 000005
【図４】
2012156825.tif 000006
【図７】
2012156825.tif 000007
【図８】
2012156825.tif 000008
【図９】
2012156825.tif 000009
【図１３】
2012156825.tif 000010
【図１４】
2012156825.tif 000011
【図５】
2012156825.tif 000012
【図６】
2012156825.tif 000013
【図１０】
2012156825.tif 000014
【図１１】
2012156825.tif 000015
【図１２】
2012156825.tif 000016